(57)【要約】【課題】信頼性の高いポンプ駆動用モータとそれを用いたポンプ装置を提供する。【解決手段】外径形状が略円形に成形された電磁鋼板を複数枚積層した固定子鉄心を有する固定子と、該固定子の中心に該固定子と同軸となるように配された回転子と、を有するポンプ駆動用モータにおいて、前記固定子鉄心の両端面には端面絶を配し、該端面絶の外周に巻線を巻装し、前記端面絶の一方には、巻線相互間を接続する渡り線を這わせる支持壁を複数形成し、前記固定子の外周には円筒状のモータハウジングを同心となるように圧入、または、温嵌めにより嵌合し、前記支持壁を這わせた前記渡り線と、前記モータハウジングの内面と、の間に、円筒状に樹脂成型した渡り線絶を具備した。【選択図】  図５
2015226330.tif 000002
【特許請求の範囲】
【請求項１】
外径形状が略円形に成形された電磁鋼板を複数枚積層した固定子鉄心を有する固定子と、
該固定子の中心に該固定子と同軸となるように配された回転子と、を有するポンプ駆動用モータにおいて、
前記固定子鉄心の両端面には端面絶を配し、該端面絶の外周に巻線を巻装し、
前記端面絶の一方には、巻線相互間を接続する渡り線を這わせる支持壁を複数形成し、
前記固定子の外周には円筒状のモータハウジングを同心となるように圧入、または、温嵌めにより嵌合し、
前記支持壁を這わせた前記渡り線と、前記モータハウジングの内面と、の間に、円筒状に樹脂成型した渡り線絶を具備したことを特徴とするポンプ駆動用モータ。
【請求項２】
請求項１に記載のポンプ駆動用モータにおいて、
前記固定子鉄心は、外周とスロット部との間に、複数のＵ字溝を設け、
前記渡り絶線は、前記固定子鉄心のＵ字溝に嵌合する突起を有し、
前記突起は、先端に抜け止め防止のかえり部を形成したことを特徴とするポンプ駆動用モータ。
【請求項３】
水通路が形成されたポンプベースと、該ポンプベースの吐出側水通路部上部に載置された圧力タンクと、前記ポンプベースの上に配置された請求項１又は２に記載のポンプ駆動用モータと、該ポンプ駆動用モータの回転数を変速させて当該ポンプ装置を制御する制御基板と、該制御基板と通信線で接続され当該ポンプ装置の吐出圧力値の表示や運転圧力等の設定を切り替え操作できる表示基板と、前記ポンプベースの上に配置され当該ポンプ装置を制御する際に発生する高調波を抑制する高調波抑制コイルと、前記ポンプベースの吐出側水通路部上部に載置され当該ポンプ装置の圧力を検出する圧力センサと、を有し、それらをポンプカバー１０が覆うことを特徴とするポンプ装置。
【発明の詳細な説明】
【技術分野】
【０００１】
本発明はポンプ駆動用モータとそれを用いたポンプ装置に関するものである。
【背景技術】
【０００２】
ポンプ装置に用いられるポンプ駆動用モータは、小型かつ高出力を得るものが望まれている。
【０００３】
従来、ポンプ装置に用いられるポンプ駆動用モータは小型かつ高出力を得るために、充電部と非充電金属部の空間距離を最短で確保していた。特許文献１では、端面絶に渡り線を這わせる支持壁を設けた電動機が記載されている。
【先行技術文献】
【特許文献】
【０００４】
【特許文献１】特許第４８４２６４７号公報
【発明の概要】
【発明が解決しようとする課題】
【０００５】
近年、ポンプ装置に用いられるポンプ駆動用モータは更に小型かつ高出力を得るものが要求されており、使用する巻線の径や巻数も許容される最大限まで詰めてきている。
【０００６】
一方で、充電部と非充電金属部の空間距離は命題であり、安全性を確保し信頼性の高いポンプ駆動用モータとそれを用いたポンプ装置を得るには絶縁物を介することが必要である。絶縁物として絶縁テープがある。絶縁テープは貼り付けが容易だが、作業性が悪い、剥がれ易いなどの恐れがある。
【０００７】
本発明は、信頼性の高いポンプ駆動用モータとそれを用いたポンプ装置を提供することを目的とする。
【課題を解決するための手段】
【０００８】
本発明は上記課題を解決するために、外径形状が略円形に成形された電磁鋼板を複数枚積層した固定子鉄心を有する固定子と、該固定子の中心に該固定子と同軸となるように配された回転子と、を有するポンプ駆動用モータにおいて、前記固定子鉄心の両端面には端面絶を配し、該端面絶の外周に巻線を巻装し、前記端面絶の一方には、巻線相互間を接続する渡り線を這わせる支持壁を複数形成し、前記固定子の外周には円筒状のモータハウジングを同心となるように圧入、または、温嵌めにより嵌合し、前記支持壁を這わせた前記渡り線と、前記モータハウジングの内面と、の間に、円筒状に樹脂成型した渡り線絶を具備したことを特徴とする。
【発明の効果】
【０００９】
本発明によれば、信頼性の高いポンプ駆動用モータとそれを用いたポンプ装置を提供することができる。
【図面の簡単な説明】
【００１０】
【図１】本発明の一実施例に係るポンプ装置の縦断面図である。
【図２】従来の固定子の平面図である。
【図３】従来のポンプ駆動用モータの断面図である。
【図４】本発明の固定子の平面図である。
【図５】本発明のポンプ駆動用モータの断面図である。
【図６】本発明の渡り線絶の平面図である。
【発明を実施するための形態】
【００１１】
以下、本発明の実施形態を図面に沿って説明する。
【００１２】
まず、本発明のポンプ装置１００の概要について図１を用いて説明する。
【００１３】
ポンプ装置１００は、水通路が形成されたポンプベース１と、ポンプベース１の吐出側水通路部上部に載置された圧力タンク２と、ポンプベース１の上に配置されたポンプ駆動用モータ３とポンプ駆動用モータ３の回転数を変速させてポンプ装置１００を制御する制御基板４と、制御基板４と通信線で接続されポンプ装置１００の吐出圧力値の表示や運転圧力等の設定を切り替え操作できる表示基板５と、ポンプベース１の上に配置されたポンプ装置を制御する際に発生する高調波を抑制する高調波抑制コイル６と、ポンプベース１の吐出側水通路部上部に載置されたポンプ装置の圧力を検出する圧力センサ７と、が備わっており、それらをポンプカバー１０が覆う構造である。
【００１４】
本実施形態では、代表的なポンプ装置であるウェスコポンプ装置を例示するが、本発明はウェスコポンプ装置に限定されるものではない。
【００１５】
ポンプ装置１００の運転はポンプ駆動用モータ３を運転することにより行われる。ポンプ駆動用モータ３の運転により、まず、自吸運転が行われ、自吸運転が終了してから揚水運転に移行する。
【００１６】
かかる揚水運転で、吐出配管につながる流路が閉じられると、吐出配管から下流側の圧力が上がる。この圧力を圧力センサ７が検知してポンプ駆動用モータ３の運転が止まる。
【００１７】
図２は従来の固定子２０´の平面図を表しており、固定子鉄心２１の内径側には中心に向かい放射状に巻線を巻装するための複数のティース部２２を有し、隣り合うティース部２２の間に巻線空隙部２３を形成し、固定子鉄心２１の中心の複数のティース部２２で囲まれた部分は円形となっており、囲まれた部分は回転子３１を通す部分である。回転子２３１は固定子２１の中心に固定子２１と同軸となるように配されている。固定子鉄心２１と、固定子鉄心２１の中心の円形部（囲まれた部分）とは、略同心円となっている。
【００１８】
固定子鉄心２１の両端面には、巻線２４との絶縁のために樹脂成形された端面絶２５を配している。端面絶２５の上から（外周から）巻線２４を巻装している。一方の端面絶２５ａには、巻線２４の相互間を接続する渡り線２６を這わせる複数の支持壁２７を延伸させている。支持壁２７は、複数形成されている。複数の支持壁２７により固定子鉄心２１と略同心円の筒状となるように間隔を置いて形成されている。
【００１９】
図３は従来のポンプ駆動用モータ３´の断面図を表している。固定子２０は、回転子鉄心２１の外周側に円筒状のモータハウジング３０を同心となるように圧入、または、温嵌めすることにより嵌合している。また、固定子２０の中心には固定子２０と同軸となるように回転子３１を配している。回転子３１は軸受３２により保持され回転可能としている。
【００２０】
端面絶２５ａの支持壁２７を這わせた渡り線２６とモータハウジング３０の内面との空隙は、充電部と非充電金属部の許容される空間距離δを有している。ただし、巻線２４の径の太さや作業ばらつきにより空間距離δを確保することができない可能性があるため、渡り線２６の周囲に絶縁テープ２８を貼付け絶縁している。絶縁テープ２８の貼付けは容易であるが、半面、作業性が悪く、剥れ易いものでもあり、更なる信頼性を確保するために絶縁物を容易、かつ確実に固定する方法が必要となる。
【００２１】
図４は、本発明の固定子２０の平面図である。図２の従来の固定子２０´と異なる点は、固定子鉄心２１の外周にＵ字溝４２を設けた点である。他の点は固定子２０´と同じであり、同符号のものは同じ効果を奏する。このＵ字溝４２には、後述する渡り線絶４０の突起４１を嵌合させることができる。
【００２２】
図５は、本発明のポンプ駆動用モータ３の断面図である。図３の従来のポンプ駆動用モータ３´と異なる点は、支持壁２７を這わせた渡り線２６と、モータハウジング３０の内面と、の間に、渡り線絶４０を具備した点である。他の点はポンプ駆動用モータ３と同じであり、同符号のものは同じ効果を奏する。この渡り線絶４０により渡り線２６を覆うことができる。渡り線絶４０は、絶縁テープ２８に比べて、より確実にモータハウジング３０との絶縁を行うことができるという効果を奏する。
【００２３】
図６は渡り線絶４０の平面図である。渡り線絶４０は樹脂成形により円筒状に構成している。渡り線絶４０の外周には、固定子鉄心２１の外周に設けた前記Ｕ字溝４２と嵌合させるための複数の突起４１を有している（本実施形態では２つの突起４１）。突起４１の先端には抜止め防止のかえり部４３を形成させている。かえり部４３は固定子鉄心２１の積層した電磁鋼板間に引っ掛り、抜け止めの役割を果たす。
【００２４】
樹脂成形により円筒状に構成した渡り線絶４０を使用することにより、巻線径の太さや作業性、部品寸法のばらつき、製造工程内での絶縁テープ２８の剥れなどが解消され、充電部と非充電金属部間の絶縁がより確実になり信頼性の高いポンプ駆動用モータと、それを用いたポンプ装置とを提供することができる。
【符号の説明】
【００２５】
１                    ポンプベース
２                    圧力タンク
３,３´              ポンプ駆動用モータ
４                    制御基板
５                    表示基板
６                    高調波抑制コイル
７                    圧力センサ
１０                  ポンプカバー
２０,２０´        固定子
２１                  固定子鉄心
２２                  ティース部
２３                  巻線空隙部
２４                  巻線
２５                  端面絶
２５ａ                一方の端面絶
２６                  渡り線
２７                  支持壁
２８                  絶縁テープ
３０                  モータハウジング
３１                  回転子
３２                  軸受
４０                  渡り線絶
４２                  Ｕ字溝
４１                  突起部
４３                  かえり部
１００                ポンプ装置
δ                    空間距離
【図１】
2015226330.tif 000003
【図２】
2015226330.tif 000004
【図３】
2015226330.tif 000005
【図４】
2015226330.tif 000006
【図５】
2015226330.tif 000007
【図６】
2015226330.tif 000008